(57)【要約】      （修正有）【課題】患者の患側の上肢を支持し、肩関節脱臼を効果的に整復する多機能医療用肩関節脱臼防止装置を提供する。【解決手段】上肢支持具１００と、エアバッグ３００と、上肢支持具とエアバッグとを接続する接続ベルト４００と、を含み、上肢支持具は、前腕支持袋と、固定スリーブと、を含み、固定スリーブは、手掌の湾曲を防止するための手掌固定用手袋と、第２締めベルト１１５と、肘関節を固定する第１締めベルト１１４と、を有し、第２締めベルトと肩関節リフトアップベルト４２１を組み合わせて使用することにより、肩関節の固定が補強され、関節の脱臼が防止される。接続ベルトにおける患者の肩甲骨の脊椎側縁には、エアバッグが設けられる。【選択図】図１
0003230132.tif 000002
【実用新案登録請求の範囲】
【請求項１】
上肢支持具（１００）と、エアバッグ（３００）と、前記上肢支持具（１００）と前記エアバッグ（３００）とを接続する接続ベルト（４００）と、を含む多機能医療用肩関節脱臼防止装置であって、
上肢支持具（１００）は、Ｕ字型の前腕支持袋（１１０）と、前腕を固定するためのＵ字型の固定スリーブ（１２０）と、を含み、
前記固定スリーブ（１２０）は、開口が上に向くように前記前腕支持袋（１１０）の内壁に取り外し可能に接続され、
手掌の湾曲を防止するための手掌固定用手袋（１１１）は、前記前腕支持袋（１１０）の外側辺の内壁に設けられるとともに前記固定スリーブ（１２０）の長手方向の一端の開口部に設けられ、
接続ベルト（４００）は、ウエストベルト（４１０）と、チェストベルト（４３０）と、二つのショルダーベルト（４２０）と、を含み、
ウエストベルト（４１０）は、長部と短部に分割され、それぞれ前記前腕支持袋（１１０）の内側辺の両端から延出され、
前記ウエストベルト（４１０）の長部は、患側の腕に位置し、患者の腰部を通して健側で前記ウエストベルト（４１０）の短部に取り外し可能に接続され、
前記ショルダーベルト（４２０）は、一端が患者の背部で前記ウエストベルト（４１０）に取り外し可能に接続され、他端が上から患者の両肩を通して胸の前に掛かり、
二つの前記ショルダーベルト（４２０）は、いずれも前記上肢支持具（１００）に取り外し可能に接続され、
前記チェストベルト（４３０）は、患者の背部を通して，背部の肩甲骨の脊椎側縁で二つの前記ショルダーベルト（４２０）に取り外し可能に接続され、
前記チェストベルト（４３０）の両端は、それぞれ患者の左右両側の脇を通して胸の前で二つの前記ショルダーベルト（４２０）に取り外し可能に接続されるとともに、胸の前で互いに接続され、
前記エアバッグ（３００）は、患側の背部におけるチェストベルト（４３０）とショルダーベルト（４２０）との接続箇所に位置し、翼状肩甲骨にならないように患側の肩甲骨を固定する
ことを特徴とする多機能医療用肩関節脱臼防止装置。
【請求項２】
請求項１に記載の多機能医療用肩関節脱臼防止装置であって、
前記ウエストベルト（４１０）の長部の自由端には、前記ウエストベルト（４１０）に接続するための短部と前記ウエストベルト（４１０）を締めるための目字型の調整バックル（４１１）とが設けられ、
前記ウエストベルト（４１０）の長部における患者の背部において肩甲骨の脊椎側縁と同一面上に形成される両側には、口字型のバックルが対称に設けられ、
二つの前記ショルダーベルト（４２０）の一端には、いずれもベルクロのフック面とベルクロのループ面とが設けられ、
二つの前記ショルダーベルト（４２０）は、前記ウエストベルト（４１０）に設けられる二つの口字型のバックルをそれぞれ通り、ベルクロのフック面とベルクロのループ面との接着により、前記ウエストベルト（４１０）と前記ショルダーベルト（４２０）とが接続され、
二つの前記ショルダーベルト（４２０）の他端には、いずれもベルクロのループ面が設けられ、
前記チェストベルト（４３０）の患側の一端には、前記チェストベルト（４３０）の他端に接続するとともに、前記チェストベルト（４３０）を締めるための目字型の調整バックル（４１１）が設けられる
ことを特徴とする多機能医療用肩関節脱臼防止装置。
【請求項３】
請求項２に記載の多機能医療用肩関節脱臼防止装置であって、
前記前腕支持袋（１１０）の上端の開口は、ファスナにより閉じられ、
前記前腕支持袋（１１０）の外側の外壁には、二つの前記ショルダーベルト（４２０）のベルクロのループ面に接着するためのベルクロのフック面が設けられ、
前記固定スリーブ（１２０）の外面には、ベルクロのフック面が設けられ、
前記前腕支持袋（１１０）の内壁には、前記固定スリーブ（１２０）のベルクロのフック面に接着するためのベルクロのループ面が設けられ、
前記前腕支持袋（１１０）は、肘関節の部分に患者の肘関節を固定する第１締めベルト（１１４）が設けられ、
前記第１締めベルト（１１４）は、一端が前記前腕支持袋（１１０）の内側の外壁に固定され、他端が患者の肘関節を通してベルクロにより前記前腕支持袋（１１０）の外側の外壁に接着され、
前記前腕支持袋（１１０）の底部には、前記第１締めベルト（１１４）と同側で外側へ延在し患者の上肢近位端をリフトアップし肩関節の固定を補強する第２締めベルト（１１５）が設けられ、
前記第２締めベルト（１１５）と同側に位置する前記ショルダーベルト（４２０）における患者の肩部には、外側へ延在する肩関節リフトアップベルト（４２１）が設けられ、
前記肩関節リフトアップベルト（４２１）の自由端には、口字型のバックルが設けられ、
前記第２締めベルト（１１５）の自由端には、ベルクロのフック面とベルクロのループ面とが設けられ、
前記第２締めベルト（１１５）は、肩関節リフトアップベルト（４２１）の口字型のバックルを通り、ベルクロのフック面とベルクロのループ面とを接着させることにより、肩関節リフトアップベルト（４２１）に接続され、
前記肩関節リフトアップベルト（４２１）の中部には、前記肩関節リフトアップベルト（４２１）を患者の上肢近位端に固定する固定ベルト（４２２）が設けられ、
前記固定ベルト（４２２）の両端は、ベルクロにより接続され、
肩関節リフトアップベルト（４２１）が設けられるショルダーベルト（４２０）における患側の背部とチェストベルト（４３０）との接続箇所には、エアバッグ押さえ板（３１０）が設けられ、
前記エアバッグ押さえ板（３１０）には、ショルダーベルト（４２０）とチェストベルト（４３０）とが通る二つの通孔（３１１）が形成され、
二つの前記通孔は、垂直に設けられ、
前記エアバッグ（３００）は、前記エアバッグ押さえ板（３１０）の患者の肩甲骨側の面に接着され、
前記エアバッグ（３００）には、ガス弁が設けられ、
前記チェストベルト（４３０）は、接続バックル（２００）により前記ショルダーベルト（４２０）に接続され、
前記接続バックル（２００）は、円盤状であり、前記接続バックル（２００）には、前記チェストベルト（４３０）が出入りするための接続孔（２１０）が対称に形成される
ことを特徴とする多機能医療用肩関節脱臼防止装置。
【考案の詳細な説明】
【技術分野】
【０００１】
本考案は、医療機械技術領域に関し、特に多機能医療用肩関節脱臼防止装置に関する。
【背景技術】
【０００２】
肩関節の解剖学的特徴により、肩関節は、肩周りの各筋肉群に完全に依存して安定になる。片麻痺患者の患側の肩が弱くなると、肩関節を所定の位置に維持できなくなる。現在、市販の肩サポータは、肩周りの各筋肉群の方向に完全に順応できず、固定力が小さい。上肢支持袋のない肩サポータは、肩に負荷がかかった後に患側の上肢を効果的にリフトアップすることができず、肩関節脱臼を効果的整復することができない。一部の上肢支持袋のある肩サポータは、上肢を水平姿勢に保持できないため、固定効果がよくなく、また、長時間使用すると、翼状肩甲骨になる恐れがある。
【考案の概要】
【考案が解決しようとする課題】
【０００３】
本考案は、前述した技術的欠点を克服するために、上肢支持具と、エアバッグと、前記上肢支持具と前記エアバッグとを接続する接続ベルトと、を含む多機能医療用肩関節脱臼防止装置を提供する。
【課題を解決するための手段】
【０００４】
上肢支持具は、Ｕ字型の前腕支持袋と、前腕を固定するためのＵ字型の固定スリーブと、を含み、前記固定スリーブは、開口が上に向くように前記前腕支持袋の内壁に取り外し可能に接続され、手掌の湾曲を防止するための手掌固定用手袋は、前記前腕支持袋の外側辺の内壁に設けられるとともに前記固定スリーブの長手方向の一端の開口部に設けられ、接続ベルトは、ウエストベルトと、チェストベルトと、二つのショルダーベルトと、を含み、ウエストベルトは、長部と短部に分割され、それぞれ前記前腕支持袋の内側辺の両端から延出され、前記ウエストベルトの長部は、患側の腕に位置し、患者の腰部を通して健側で前記ウエストベルトの短部に取り外し可能に接続され、前記ショルダーベルトは、一端が患者の背部で前記ウエストベルトに取り外し可能に接続され、他端が上から患者の両肩を通して胸の前に掛かり、二つの前記ショルダーベルトは、いずれも前記上肢支持具に取り外し可能に接続され、前記チェストベルトは、患者の背部を通して，背部の肩甲骨の脊椎側縁で二つの前記ショルダーベルトに取り外し可能に接続され、前記チェストベルトの両端は、それぞれ患者の左右両側の脇を通して胸の前で二つの前記ショルダーベルトに取り外し可能に接続されるとともに、胸の前で互いに接続され、前記エアバッグは、患側の背部におけるチェストベルトとショルダーベルトとの接続箇所に位置し、翼状肩甲骨にならないように患側の肩甲骨を固定する。
本考案において、接続ベルトで上肢支持具とエアバッグとを接続することにより、構造が簡単で、装着しやすい。上肢支持具で患者の腕を支え、上肢を吊る下げることにより、肩関節にかかる負担が軽減する。患者の前腕を固定スリーブに固定し、ウエストベルトと組み合わせて前腕を水平方向に固定することにより、前腕が下に垂れて肩関節に負担をかけ過ぎることが回避される。患側の手を手袋に固定することにより、腕関節の上への屈曲拘縮又は突起が回避される。上肢支持具が垂れ下がるため、腕関節、中手指節関節、及び指節間関節などの後期の拘縮変形及び痛みを効果的に防止できる。エアバッグを患側の肩甲骨の脊椎側縁に配置し、ガス弁でエアバッグの圧力を制御することにより、前鋸筋及び僧帽筋を補助して患側の肩甲骨が固定され、翼状肩甲骨になることを予防できる。
【０００５】
本考案のある様態によれば、前記ウエストベルトの長部の自由端には、前記ウエストベルトに接続するための短部と前記ウエストベルトを締めるための目字型の調整バックルとが設けられるため、患者が装置を快速に装着し、引き締めることができる。前記ウエストベルトの長部における患者の背部において肩甲骨の脊椎側縁と同一面上に形成される両側には、口字型のバックルが対称に設けられ、二つの前記ショルダーベルトの一端には、いずれもベルクロ（登録商標）のフック面とベルクロのループ面とが設けられ、二つの前記ショルダーベルトは、前記ウエストベルトに設けられる二つの口字型のバックルをそれぞれ通り、ベルクロのフック面とベルクロのループ面との接着により、前記ウエストベルトと前記ショルダーベルトとが接続され、二つの前記ショルダーベルトの他端には、いずれも前腕支持袋に接続ためにベルクロのループ面が設けられる。前記チェストベルトの一端には、前記チェストベルトの他端に接続するとともに、前記チェストベルトを締めるための目字型の調整バックルが設けられるため、患者が装置を快速に装着し、引き締めることができる。
【０００６】
前記前腕支持袋の上端の開口は、ファスナにより閉じられるため、操作が簡単になる。前記前腕支持袋の外側の外壁には、二つの前記ショルダーベルトのベルクロのループ面に接着するためのベルクロのフック面が設けられる。前記固定スリーブの外面には、ベルクロのフック面が設けられ、前記前腕支持袋の内壁には、前記固定スリーブのベルクロのフック面に接着するためのベルクロのループ面が設けられるため、固定スリーブの取り外しが簡単である。前記前腕支持袋は、肘関節の部分に患者の肘関節を固定する第１締めベルトが設けられ、第１締めベルトと、手袋と、固定スリーブとを組み合わせることにより、患者の前腕と肘が固定される。前記第１締めベルトは、一端が前記前腕支持袋の内側の外壁に固定され、他端が患者の肘関節を通してベルクロにより前記前腕支持袋の外側の外壁に接着される。ベルクロを設けることにより、患者の前腕の長さに応じて固定位置を調節することができ、患者にとって最も快適な状態に調節できる。前記前腕支持袋の底部には、前記第１締めベルトと同側で外側へ延在し患者の上肢近位端をリフトアップし肩関節の固定を補強する第２締めベルトが設けられる。前記第２締めベルトと同側に位置する前記ショルダーベルトにおける患者の肩部には、外側へ延在する肩関節リフトアップベルトが設けられ、前記肩関節リフトアップベルトの自由端には、口字型のバックルが設けられ、前記第２締めベルトの自由端には、ベルクロのフック面とベルクロのループ面とが設けられ、前記第２締めベルトは、肩関節リフトアップベルトの口字型のバックルを通り、ベルクロのフック面とベルクロのループ面とを接着させることにより、肩関節リフトアップベルトに接続され、ベルクロを設けることにより、患者の上肢近位端周りに応じて調節することができ、患者にとって最も快適な状態に調節できる。前記肩関節リフトアップベルトの中部には、前記肩関節リフトアップベルトを患者の上肢近位端に固定する固定ベルトが設けられ、前記固定ベルトの両端は、ベルクロにより接続される。ベルクロを設けることにより、患側の上肢近位端の長さに応じて調節することができ、患者にとって最も快適な状態に調節できる。
【０００７】
肩関節リフトアップベルトが設けられるショルダーベルトにおける患側の背部とチェストベルトとの接続箇所には、エアバッグ押さえ板が設けられ、エアバッグ押さえ板は、圧力を均等に与えるようにエアバッグを全体的に押さえる。前記エアバッグ押さえ板には、ショルダーベルトとチェストベルトとが通る二つの通孔が形成され、二つの前記通孔は、垂直に設けられ、前記エアバッグは、前記エアバッグ押さえ板の患者の肩甲骨側の面に接着され、前記エアバッグには、ガス弁が設けられる。患者は、ガス弁によりエアバッグ内の空気量を調整することができるため、エアバッグに充気して側の肩甲骨を固定することができるとともに、定期的な減圧して局所的な褥瘡の形成を回避できる。
【０００８】
前記チェストベルトは、接続バックルにより前記ショルダーベルトに接続され、前記接続バックルは、円盤状であり、前記接続バックルには、前記チェストベルトが出入りするための接続孔が対称に形成される。患者は、自分の体型に応じて接続バックルの位置を調節することができ、自分にとって最も快適な状態に調節できる。
【考案の効果】
【０００９】
本考案の態様は、下記の有益な効果を奏する。
本装置は、患者の患側の上肢に対して支持効果があり、肩関節脱臼を整復することができる。また、手袋、固定スリーブ、及び第１締めベルトにより患側の手を中立位に固定し、患側の前腕を水平方向に固定することにより、手部と腕部の屈曲を防止でき、腕関節、中手指節関節、及び指節間関節などの拘縮変形を防止できる。また、エアバッグは、充気された後に前鋸筋及び僧帽筋が収縮するように補助するため、肩甲骨が胸に近づき、肩甲骨が固定され、翼状肩甲骨になることが回避される。
【図面の簡単な説明】
【００１０】
【図１】本考案の実施例に係る第１斜視図である。
【図２】本考案の実施例に係る部分斜視図（上肢支持具の内部構造）である。
【図３】本考案の実施例に係る第２斜視図である。
【図４】本考案の実施例に係るエアバッグとエアバッグ押さえ板の斜視図である。
【図５】本考案の実施例に係る接続バックルの斜視図である。
【考案を実施するための形態】
【００１１】
（実施例１）
図１及び図２に示すように、本実施例に係る多機能医療用肩関節脱臼防止装置は、上肢支持具１００と、エアバッグ３００と、上肢支持具１００とエアバッグ３００とを接続する接続ベルト４００と、を含む。
【００１２】
上肢支持具１００は、Ｕ字型の前腕支持袋１１０と、前腕を固定するためのＵ字型の固定スリーブ１２０と、を含み、固定スリーブ１２０は、開口が上に向くように前腕支持袋１１０の内壁に取り外し可能に接続されるため、使用する際に、固定スリーブ１２０を簡単に装着し、取り外すことができる。手掌の湾曲を防止するための手掌固定用手袋１１１は、前腕支持袋１１０の外側辺の内壁に設けられるとともに固定スリーブ１２０の長手方向の一端の開口部に設けられる。手袋１１１は、外面に患部の手の形を維持するために硬い材料が使用され、内面に患者の快適さを向上するために柔らかい材料が使用される。固定スリーブ１２０により患者の前腕が固定され、手袋１１１により患者の患側の手が固定されるため、患側の手の屈曲が回避される。
【００１３】
接続ベルト４００は、ウエストベルト４１０と、チェストベルト４３０と、二つのショルダーベルト４２０と、を含む。ウエストベルト４１０は、長部と短部に分割され、それぞれ前腕支持袋１１０の内側辺の両端から延出され、ウエストベルト４１０の長部は、患側の腕に位置し、患者の腰部を通して健側でウエストベルト４１０の短部に取り外し可能に接続されるため、患者が簡単に装置を装着し、引き締めることができる。ショルダーベルト４２０は、一端が患者の背部でウエストベルト４１０に取り外し可能に接続され、他端が上から患者の両肩を通して胸の前に掛かり、二つのショルダーベルト４２０は、いずれも上肢支持具１００に取り外し可能に接続される。
【００１４】
チェストベルト４３０は、患者の背部を通して，背部の肩甲骨の脊椎側縁で二つのショルダーベルト４２０に取り外し可能に接続され、チェストベルト４３０の両端は、それぞれ患者の左右両側の脇を通して胸の前で二つのショルダーベルト４２０に取り外し可能に接続されるとともに、胸の前で互いに接続される。
【００１５】
エアバッグ３００は、患側の背部におけるチェストベルト４３０とショルダーベルト４２０との接続箇所に位置し、充気された後に前鋸筋及び僧帽筋が収縮するように補助するため、肩甲骨が胸に近づき、肩甲骨が固定され、翼状肩甲骨になることが回避される。
【００１６】
ウエストベルト４１０の長部の自由端には、ウエストベルト４１０に接続するための短部とウエストベルト４１０を締めるための目字型の調整バックル４１１とが設けられるため、患者が装置を快速に装着し、引き締めることができる。
【００１７】
ウエストベルト４１０の長部における患者の背部において肩甲骨の脊椎側縁と同一面上に形成される両側には、口字型のバックルが対称に設けられ、二つのショルダーベルト４２０の一端には、いずれもベルクロのフック面とベルクロのループ面とが設けられる。二つのショルダーベルト４２０は、ウエストベルト４１０に設けられる二つの口字型のバックルをそれぞれ通り、ベルクロのフック面とベルクロのループ面との接着により、ウエストベルト４１０とショルダーベルト４２０とが接続され、二つのショルダーベルト４２０の他端には、いずれも前腕支持袋１１０に接続ためにベルクロのループ面が設けられる。チェストベルト４３０の患側の一端には、チェストベルト４３０の他端に接続するとともに、チェストベルト４３０を締めるための目字型の調整バックル４１１が設けられるため、患者が快速にチェストベルトを装着し、引き締めることができる。
【００１８】
前腕支持袋１１０の上端の開口は、ファスナにより閉じられるため、操作が簡単になる。前腕支持袋１１０の外側の外壁には、二つのショルダーベルト４２０のベルクロのループ面に接着するためのベルクロのフック面が設けられる。
【００１９】
固定スリーブ１２０の外面には、ベルクロのフック面が設けられ、前腕支持袋１１０の内壁には、固定スリーブ１２０のベルクロのフック面に接着するためのベルクロのループ面が設けられるため、固定スリーブ１２０を簡単に取り外すことができる。
【００２０】
前腕支持袋１１０は、肘関節の部分に患者の肘関節を固定する第１締めベルト１１４が設けられ、第１締めベルト１１４は、一端が前腕支持袋１１０の内側の外壁に固定され、他端が患者の肘関節を通してベルクロにより前腕支持袋１１０の外側の外壁に接着される。第１締めベルト１１４と手袋１１１を組み合わせて使用することにより、患者の肘関節を固定することができ、ベルクロを設けることにより、患者の前腕の長さに応じて固定位置を調節することができ、患者にとって最も快適な状態に調節できる。
【００２１】
前腕支持袋１１０の底部には、第１締めベルト１１４と同側で外側へ延在し患者の上肢近位端をリフトアップし肩関節の固定を補強する第２締めベルト１１５が設けられ、第２締めベルト１１５と同側に位置するショルダーベルト４２０における患者の肩部には、外側へ延在する肩関節リフトアップベルト４２１が設けられる。肩関節リフトアップベルト４２１と第２締めベルト１１５を組み合わせて使用することにより、患側の上肢近位端をリフトアップすることができ、肩関節の固定が補強され、関節の脱臼が防止される。肩関節リフトアップベルト４２１の自由端には、口字型のバックルが設けられ、第２締めベルト１１５の自由端には、ベルクロのフック面とベルクロのループ面とが設けられ、第２締めベルト１１５は、肩関節リフトアップベルト４２１の口字型のバックルを通り、ベルクロのフック面とベルクロのループ面とを接着させることにより、肩関節リフトアップベルト４２１に接続され、固定される。ベルクロを設けることにより、患者の上肢近位端の長さに応じて固定位置を調節することができ、患者にとって最も快適な状態に調節できる。
【００２２】
肩関節リフトアップベルト４２１の中部には、肩関節リフトアップベルト４２１を患者の上肢近位端に固定する固定ベルト４２２が設けられ、固定ベルト４２２の両端は、ベルクロにより接続される。固定ベルト４２２により、肩関節リフトアップベルト４２１が患側の上肢近位端に固定される。
【００２３】
図３及び図４に示すように、肩関節リフトアップベルト４２１が設けられるショルダーベルト４２０における患側の背部とチェストベルト４３０との接続箇所には、エアバッグ押さえ板３１０が設けられ、エアバッグ押さえ板３１０には、ショルダーベルト４２０とチェストベルト４３０とが通る二つの通孔３１１が形成され、二つの通孔は、垂直に設けられ、チェストベルト４３０とショルダーベルト４２０は、通孔を通り、エアバッグ３００を患者の肩甲骨の脊椎側縁に固定する。エアバッグ３００は、エアバッグ押さえ板３１０の患者の肩甲骨側の面に接着される。エアバッグ３００には、ガス弁が設けられる。ガス弁でエアバッグに充気、放気することによりエアバッグ３００の大きさを調節し、エアバッグに充気して側の肩甲骨を固定することができるとともに、定期的な減圧して局所的な褥瘡の形成を回避できる。
【００２４】
図５に示すように、多機能医療用肩関節脱臼防止装置において、チェストベルト４３０は、接続バックル２００によりショルダーベルト４２０に接続され、接続バックル２００は、円盤状であり、接続バックル２００には、チェストベルト４３０が出入りするための接続孔２１０が対称に形成される。
【００２５】
＜本実施例の動作過程＞
患者が本装置を装着する際に、まず医療スタッフが患側肩甲骨の状態を評価し、評価結果に従ってガス弁をオンにしてエアバッグ３００に充気する。充気量が医療スタッフに指定された数値に達したときにガス弁をオフにする。そして、患者は、健側の腕でウエストベルト４１０とチェストベルト４３０の両端を目字型調整バックル４１１により接続し、患者がその後健側の腕でウエストベルト４１０とチェストベルト４３０を頭から腰と胸に下ろすことができるようにベルトを引き締ない。そしてウエストベルト４１０とチェストベルト４３０を頭から腰と胸に下ろして前腕支持袋１１０が患者の腰腹部に位置するように調整する。二つのショルダーベルト４２０が両肩甲骨の脊椎側縁と同じ平面に位置するようになると、ウエストベルト４１０短部の自由端を引っ張り、ウエストベルト４１０を引き締める。患者が健側の腕で健側のショルダーベルト４２０を健側の肩の装着し、健側のチェストベルト４３０を脇の下を通す。また、健側の腕で患側の肘がチェストベルト４３０を通せるようにチェストベルト４３０の目字型調整バックル４１１を調節する。その後、健側の腕で患側のショルダーベルト４２０を患側の肩に装着し、患側のチェストベルト４３０が肘を通し、患側チェストベルト４３０が患側の脇の下に位置するようにリフトアップされる。その後、再びチェストベルト４３０の目字型調整バックル４１１を調節し、チェストベルト４３０を引き締め、エアバッグ３００を患者の肩甲骨と位置を合わせる。患者は、前腕が固定スリーブ１２０内に入り、患側の手が手袋１１１内に入り、ファスナにより開口を閉じる。そして、二つのショルダーベルト４２０と前腕支持袋１１０との接続箇所に位置するベルクロを再度調節し、自身にとって快適な状態に調節する。患者は、固定ベルト４２２を患側の上肢近位端を巻き付け、固定ベルト４２２の両端のベルクロにより肩関節リフトアップベルト４２１を患側の上肢近位端に固定する。第２締めベルト１１５の一端は、肩関節リフトアップベルト４２１の口字型のバックルに挿入し、ベルクロと肩関節リフトアップベルト４２１により固定される。
【図１】
0003230132.tif 000003
【図２】
0003230132.tif 000004
【図３】
0003230132.tif 000005
【図４】
0003230132.tif 000006
【図５】
0003230132.tif 000007
【手続補正書】
【提出日】令和2年10月28日(2020.10.28)
【手続補正１】
【補正対象書類名】実用新案登録請求の範囲
【補正対象項目名】全文
【補正方法】変更
【補正の内容】
【実用新案登録請求の範囲】
【請求項１】
上肢支持具（１００）と、エアバッグ（３００）と、前記上肢支持具（１００）と前記エアバッグ（３００）とを接続する接続ベルト（４００）と、を含む多機能医療用肩関節脱臼防止装置であって、
上肢支持具（１００）は、Ｕ字型の前腕支持袋（１１０）と、前腕を固定するためのＵ字型の固定スリーブ（１２０）と、を含み、
前記固定スリーブ（１２０）は、開口が上に向くように前記前腕支持袋（１１０）の内壁に取り外し可能に接続され、
手掌の湾曲を防止するための手掌固定用手袋（１１１）は、前記前腕支持袋（１１０）の外側辺の内壁に設けられるとともに前記固定スリーブ（１２０）の長手方向の一端の開口部に設けられ、
接続ベルト（４００）は、ウエストベルト（４１０）と、チェストベルト（４３０）と、二つのショルダーベルト（４２０）と、を含み、
ウエストベルト（４１０）は、長部と短部に分割され、それぞれ前記前腕支持袋（１１０）の内側辺の両端から延出され、
前記ウエストベルト（４１０）の長部は、患側の腕に位置し、患者の腰部を通して健側で前記ウエストベルト（４１０）の短部に取り外し可能に接続され、
前記ショルダーベルト（４２０）は、一端が患者の背部で前記ウエストベルト（４１０）に取り外し可能に接続され、他端が上から患者の両肩を通して胸の前に掛かり、
二つの前記ショルダーベルト（４２０）は、いずれも前記上肢支持具（１００）に取り外し可能に接続され、
前記チェストベルト（４３０）は、患者の背部を通して，背部の肩甲骨の脊椎側縁で二つの前記ショルダーベルト（４２０）に取り外し可能に接続され、
前記チェストベルト（４３０）の両端は、それぞれ患者の左右両側の脇を通して胸の前で二つの前記ショルダーベルト（４２０）に取り外し可能に接続されるとともに、胸の前で互いに接続され、
前記エアバッグ（３００）は、患側の背部におけるチェストベルト（４３０）とショルダーベルト（４２０）との接続箇所に位置し、翼状肩甲骨にならないように患側の肩甲骨を固定する
ことを特徴とする多機能医療用肩関節脱臼防止装置。
【請求項２】
請求項１に記載の多機能医療用肩関節脱臼防止装置であって、
前記ウエストベルト（４１０）の長部の自由端には、前記ウエストベルト（４１０）に接続するための短部と前記ウエストベルト（４１０）を締めるための目字型の調整バックル（４１１）とが設けられ、
前記ウエストベルト（４１０）の長部における患者の背部において肩甲骨の脊椎側縁と同一面上に形成される両側には、口字型のバックルが対称に設けられ、
二つの前記ショルダーベルト（４２０）の一端には、いずれも面ファスナーのフック面と面ファスナーのループ面とが設けられ、
二つの前記ショルダーベルト（４２０）は、前記ウエストベルト（４１０）に設けられる二つの口字型のバックルをそれぞれ通り、面ファスナーのフック面と面ファスナーのループ面との接着により、前記ウエストベルト（４１０）と前記ショルダーベルト（４２０）とが接続され、
二つの前記ショルダーベルト（４２０）の他端には、いずれも面ファスナーのループ面が設けられ、
前記チェストベルト（４３０）の患側の一端には、前記チェストベルト（４３０）の他端に接続するとともに、前記チェストベルト（４３０）を締めるための目字型の調整バックル（４１１）が設けられる
ことを特徴とする多機能医療用肩関節脱臼防止装置。
【請求項３】
請求項２に記載の多機能医療用肩関節脱臼防止装置であって、
前記前腕支持袋（１１０）の上端の開口は、ファスナにより閉じられ、
前記前腕支持袋（１１０）の外側の外壁には、二つの前記ショルダーベルト（４２０）の面ファスナーのループ面に接着するための面ファスナーのフック面が設けられ、
前記固定スリーブ（１２０）の外面には、面ファスナーのフック面が設けられ、
前記前腕支持袋（１１０）の内壁には、前記固定スリーブ（１２０）の面ファスナーのフック面に接着するための面ファスナーのループ面が設けられ、
前記前腕支持袋（１１０）は、肘関節の部分に患者の肘関節を固定する第１締めベルト（１１４）が設けられ、
前記第１締めベルト（１１４）は、一端が前記前腕支持袋（１１０）の内側の外壁に固定され、他端が患者の肘関節を通して面ファスナーにより前記前腕支持袋（１１０）の外側の外壁に接着され、
前記前腕支持袋（１１０）の底部には、前記第１締めベルト（１１４）と同側で外側へ延在し患者の上肢近位端をリフトアップし肩関節の固定を補強する第２締めベルト（１１５）が設けられ、
前記第２締めベルト（１１５）と同側に位置する前記ショルダーベルト（４２０）における患者の肩部には、外側へ延在する肩関節リフトアップベルト（４２１）が設けられ、
前記肩関節リフトアップベルト（４２１）の自由端には、口字型のバックルが設けられ、
前記第２締めベルト（１１５）の自由端には、面ファスナーのフック面と面ファスナーのループ面とが設けられ、
前記第２締めベルト（１１５）は、肩関節リフトアップベルト（４２１）の口字型のバックルを通り、面ファスナーのフック面と面ファスナーのループ面とを接着させることにより、肩関節リフトアップベルト（４２１）に接続され、
前記肩関節リフトアップベルト（４２１）の中部には、前記肩関節リフトアップベルト（４２１）を患者の上肢近位端に固定する固定ベルト（４２２）が設けられ、
前記固定ベルト（４２２）の両端は、面ファスナーにより接続され、
肩関節リフトアップベルト（４２１）が設けられるショルダーベルト（４２０）における患側の背部とチェストベルト（４３０）との接続箇所には、エアバッグ押さえ板（３１０）が設けられ、
前記エアバッグ押さえ板（３１０）には、ショルダーベルト（４２０）とチェストベルト（４３０）とが通る二つの通孔（３１１）が形成され、
二つの前記通孔は、垂直に設けられ、
前記エアバッグ（３００）は、前記エアバッグ押さえ板（３１０）の患者の肩甲骨側の面に接着され、
前記エアバッグ（３００）には、ガス弁が設けられ、
前記チェストベルト（４３０）は、接続バックル（２００）により前記ショルダーベルト（４２０）に接続され、
前記接続バックル（２００）は、円盤状であり、前記接続バックル（２００）には、前記チェストベルト（４３０）が出入りするための接続孔（２１０）が対称に形成される
ことを特徴とする多機能医療用肩関節脱臼防止装置。